(57)【要約】エレベータ内部で巻上機アッセンブリ（１９）を設置位置まで引き上げるための吊り上げツールは、巻上機アッセンブリを支持する巻上機用梁（３２）に取り付けられる。吊り上げツールは、余分な軸方向スペースが必要とならない位置に取り付けられる。好ましくは、吊り上げツールは、巻上機アッセンブリの一方の側部に取り付けられるとともに、巻上機用梁から昇降路へと吊り下げられた巻上機アッセンブリの軸方向長さの範囲内に収められる。
2004509032.tif 000002
【特許請求の範囲】
【請求項１】
エレベータアッセンブリであって、前記エレベータアッセンブリは、
ある横幅に亘って延びた巻上機用梁と、
エレベータかごを引き上げるための引き上げ用モータ、および前記引き上げ用モータを取り付けるためのフレームを備えた巻上機アッセンブリと、を備えており、前記巻上機アッセンブリは、前記巻上機用梁により支持されており、前記エレベータアッセンブリは、さらに、
前記巻上機アッセンブリを昇降路内で前記巻上機用梁上の支持位置まで引き上げるための吊り上げツールを備えており、前記吊り上げツールは、前記巻上機用梁に固定されていることを特徴とするエレベータアッセンブリ。
【請求項２】
前記巻上機アッセンブリおよび前記吊り上げツールは、前記巻上機用梁から吊り下げられるように取り付けられていることを特徴とする請求項１記載のエレベータアッセンブリ。
【請求項３】
前記吊り上げツールによって、滑車の周りを通るケーブルが駆動され、これによって、前記巻上機アッセンブリが引き上げられるようになっており、前記滑車のうちの少なくとも１つが前記巻上機用梁に取り付けられていることを特徴とする請求項２記載のエレベータアッセンブリ。
【請求項４】
前記巻上機アッセンブリを引き上げるための前記ケーブルは、引き上げ点において前記巻上機用梁に固定されており、さらに、前記巻上機用梁上の前記滑車の周りを通り、続いて、前記巻上機アッセンブリ上に互いに離間して配置された一対の滑車の周りを通り、続いて、前記引き上げ点に固定されていることを特徴とする請求項３記載のエレベータアッセンブリ。
【請求項５】
前記の互いに離間された一対の滑車が、前記巻上機アッセンブリのフレームの各側部に取り付けられており、前記引き上げ用モータが前記フレームの前記側部の間を横方向に延びたプレートの上に取り付けられていることを特徴とする請求項４記載のエレベータアッセンブリ。
【請求項６】
前記吊り上げツールは、ブラケットに取り付けられており、前記ブラケットは、前記巻上機用梁に取り付けられていることを特徴とする請求項１記載のエレベータアッセンブリ。
【請求項７】
一対の巻上機用梁を備えており、前記巻上機アッセンブリが前記の一対の巻上機用梁の両方に固定されており、前記吊り上げツールもまた前記巻上機用梁の両方に固定されていることを特徴とする請求項１記載のエレベータアッセンブリ。
【請求項８】
エレベータアッセンブリであって、前記エレベータアッセンブリは、
ある横幅に亘って延びた巻上機用梁と、
エレベータかごを引き上げるための引き上げ用モータ、および前記引き上げ用モータを取り付けるためのフレームを備えた巻上機アッセンブリと、を備えており、前記巻上機アッセンブリは、前記巻上機用梁により支持されており、前記エレベータアッセンブリは、さらに、
前記巻上機アッセンブリを昇降路内で前記巻上機用梁上の支持位置まで引き上げるための吊り上げツールを備えており、前記巻上機アッセンブリは、前記巻上機用梁から前記昇降路へとある軸方向距離に亘って吊り下がるように取り付けられており、前記吊り上げツールは、前記巻上機アッセンブリの側部に取り付けられているとともに、前記巻上機アッセンブリの前記軸方向距離の範囲内で少なくとも部分的に、前記昇降路へと吊り下げられていることを特徴とするエレベータアッセンブリ。
【請求項９】
前記巻上機アッセンブリおよび前記吊り上げツールが両方とも前記巻上機用梁に固定されており、前記吊り上げツールによって、前記巻上機用梁に取り付けられた滑車の周りを通るケーブルが駆動されるようになっており、前記ケーブルは、引き上げ点において前記巻上機用梁に固定されているとともに、前記巻上機用梁上の前記滑車と前記引き上げ点との間で前記巻上機アッセンブリ上に互いに離間して配置された一対の滑車の周りを通っていることを特徴とする請求項８記載のエレベータアッセンブリ。
【請求項１０】
巻上機アッセンブリを昇降路内でエレベータアッセンブリ内の取り付け位置まで引き上げる方法であって、前記方法においては、
（１）　昇降路の上端部に隣接させて取り付けられた吊り上げツールを提供し、エレベータかごを駆動するための引き上げ用モータを備えた巻上機アッセンブリを提供し、前記吊り上げツールは、前記巻上機アッセンブリを引き上げるものとして動作可能に連結されており、さらに、前記方法において、
（２）　前記吊り上げツールを、前記巻上機用梁から吊り下がるように前記巻上機用梁に取り付け、
（３）　前記吊り上げツールによって、前記巻上機アッセンブリを前記昇降路内で上方位置まで引き上げ、続いて、前記巻上機アッセンブリを前記巻上機用梁に取り付けて、前記巻上機アッセンブリもまた前記巻上機用梁からつり下がるように取り付けることを特徴とする方法。
【発明の詳細な説明】
【０００１】
【背景技術】
本発明は、従来技術のものよりも必要となるスペースが減少されたエレベータ設置用吊り上げツールのための取り付け構造に関する。
【０００２】
エレベータは、多数の階を備えた高い最新の建物の多くに利用されている。エレベータは、通常、昇降路内で可動のかごを備えている。昇降路の頂部近傍には、巻上機として周知のモータ・滑車構造が取り付けられており、このモータ・滑車構造によって、ケーブルが駆動され、これによって、エレベータかごがつりあいおもりと連動しながら上昇もしくは下降するようになっている。伝統的に、巻上機は、昇降路の上方の機械室内に配置される。通常は、巻上機用梁により昇降路の上端部が規定され、この巻上機用梁の、垂直上方の面にプレートが取り付けられる。このプレートによって、巻上機が支持されるとともに、機械室の底面が画定される。
【０００３】
エレベータの初期設置の際に、巻上機を引き上げて機械室内部へと導入するために、吊り上げツールが必要となる。さらに、交換もしくは修理のために巻上機を引き下げなければならないことがある場合には、通常、吊り上げツールは機械室近傍に残される。通常、機械室には、クレーンのような装置が取り付けられる。
【０００４】
近年、本発明の譲受人は、必要となるスペースを減少させることができるような、改善された巻上機の配置の開発に努めている。建物内のスペースをより効率的に利用することが望ましいため、大きな機械室を建物の上端部近傍に設けなければならないことは、望ましくない場合がある。従って、巻上機用梁から昇降路へと吊り下げられるように巻上機が支持されたエレベータが提案されている。しかし、巻上機をこのような上方位置まで引き上げる吊り上げツールで余分なスペースを要さないものは、これまで提案されていない。吊り上げツールのためにスペースを余分に用いると、ある点で、巻上機を巻上機用梁から吊り下げることの利点が減少する。
【０００５】
【発明の開示】
本発明の開示された実施例によると、エレベータの昇降路内で巻上機を引き上げるための吊り上げツールは、巻上機が昇降路内で引き上げられた後に巻上機を支持する巻上機用梁に取り付けられる。具体的には、建物内部で余分な軸方向スペースが必要とならないように、吊り上げツールが昇降路内で巻上機の側部に取り付けられることが好ましい。最も好適な実施例では、巻上機用梁によって巻上機が上部の面で支持されるとともに、巻上機が巻上機用梁から下方に吊り下げられる。吊り上げツールもまた、巻上機用梁から吊り下げられ、かつ巻上機の一方の側部に配置される。吊り上げツールを巻上機用梁に取り付けることが好ましいが、吊り上げツールを他の取り付け構造に取り付けるものも本発明の範囲内に含まれる。但し、この場合も、吊り上げツールを、巻上機の軸方向長さの範囲内に収めるとともに、巻上機の側部に配置すべきである。
【０００６】
本発明の詳細部に関して述べると、吊り上げツールは、巻上機を引き上げるためのケーブルを駆動するモータを備えている。巻上機用梁に滑車が取り付けられており、この滑車の上をケーブルが移動する。ケーブルは、さらに、巻上機用梁上の引き上げ点に連結されている。ケーブルは、巻上機を支持するためのフレームに取り付けられた２つの滑車の上を通る。このような構造によって、巻上機が吊り上げツールにより引き上げられる。
【０００７】
本発明の以上の目的および他の目的は、以下の詳細な説明および図面（以下に、これらの簡単な説明が続く）から明確となるだろう。
【０００８】
【発明を実施するための最良の形態】
図１には、巻上機アッセンブリ１９を備えたエレベータシステム１８が示されている。巻上機アッセンブリ１９は、ケーブル２２を駆動するためのモータ２０および滑車２１を備えた巻上機を備えている。周知のように、巻上機アッセンブリ１９が運転状態になると、ケーブル２２が昇降路２３内部を延びてかご２４を上昇させる。この図は、巻上機アッセンブリ１９の動きを示すものであるため、かご２４およびケーブル２２は概略的に示されている。通常、この段階では、かご２４は巻上機に連結されていない。
【０００９】
巻上機アッセンブリ１９は、モータ２０および滑車２１のみならず、フレーム側部２６もまた備えている。これらのフレーム側部２６の間には、プレート２７が横方向に延びており、このプレート２７によって、モータ２０および滑車２１が実際に支持されている。プレート２７は、この図の面に向かう方向に延びており、第２の組のフレーム側部は、プレート２７の反対側の端部に配置されている。モータ２０および滑車２１の詳細部は、幾らか概略的に図示されており、通常は、ブレーキなどの他の装置もまた巻上機に備えられている。
【００１０】
各側部フレーム２６には、滑車２８が取り付けられており、これらの滑車２８は、ケーブル３０と係合している。ケーブル３０は、滑車２８の下を通り、巻上機アッセンブリ１９の横幅を横切る。
【００１１】
昇降路２３を横方向に横断するように、巻上機用梁３２が延びている。吊り上げツール３５は、梁３２から下方に延びたマウンティングブラケット３４を備えている。マウンティングブラケット３４には、吊上げ用モータ３６が取り付けられている。ブラケット３４には、さらに、滑車３８が取り付けられており、梁３２には、滑車４０が取り付けられている。ケーブル３０は、モータ３６から延びて、滑車３８の周りを通り、さらに、上方に延びて滑車４０の上を通り、続いて、滑車２８へと延びる。ケーブル３０は、反対側の滑車２８から上方に延びて、梁３２上の固定点つまり引き上げ点４２へと達する。ケーブル３０は、さらに、梁３２上のピン４４の周りを通る。
【００１２】
巻上機アッセンブリ１９がエレベータ１８に設置される際に、モータ３６が駆動され、これによって、巻上機アッセンブリ１９が引き上げられる。続いて、アッセンブリ１９は、梁３２に取り付けられる。巻上機アッセンブリ１９が梁３２に取り付けられた後も、吊り上げツール３５は通常はエレベータ１８内に残される。図示されているように、ブラケット３４はボルト３７によって梁３２に固定される。
【００１３】
図２からわかるように、梁３２のボルト孔に通されたボルト４６などによって、巻上機アッセンブリ１９が取り付けられている。吊り上げツール３５は、巻上機アッセンブリ１９の側部に取り付けられており、さらに、昇降路２３に沿った、巻上機アッセンブリ１９の軸方向長さの範囲内に収まっている。
【００１４】
図３に示されているように、ブラケット３４を金属製薄板から形成することができ、このようなブラケット３４によって、モータ３６が支持される。再び述べるが、ボルト３７によってブラケット３４が梁３２上で支持される。さらに、ボルト４６によって、巻上機アッセンブリ１９のフレーム側部２６が、梁３２に固定される。
【００１５】
吊り上げツール３５が巻上機用梁３２に取り付けられるものとして図示されているが、本発明の範囲から逸脱することなく、吊り上げツール３５を、梁３２ではなく、壁部もしくは他の支持構造に取り付けることも可能である。このような実施例においても、吊り上げツール３５を、巻上機アッセンブリ１９の側部に取り付け、かつ巻上機アッセンブリ１９の長さの範囲内に収めることが好ましい。しかし、吊り上げツール３５が巻上機用梁３２に取り付けられるものが好適な実施例である。
【００１６】
図４には、吊り上げツール３５が示されている。図示されているように、吊り上げツールのフレームに沿って離間された２カ所にボルト３７が配置されている。さらに、ブラケット３４に剛性を与えるための底部プレート５２が配置されている。さらに図示されているように、モータ３０は、ブラケットフレーム３４よりも前方に延びている。
【００１７】
図５は、図４とほぼ同じ方向に沿って示した概略図である。図示されているように、ブラケット３４のボルト３７は、一対の巻上機用梁３２，５４の両方に固定されている。図示されているように、ボルト３７は、これらのＣ字型梁３２，４２の底面５６に取り付けられている。同様に、図５の紙面に向かうように、フレーム側部２６の一部分が、ボルト４６によってＣ字型巻上機用梁３２，５４の後面に固定されている。図１〜５から明確なように、本発明は、吊り上げツールを比較的狭いスペースに格納するものである。
【００１８】
本発明の好適な実施例について記載したが、当業者であれば、本発明の範囲から逸脱することなくある特定の変更を加えることが可能なことは、理解できるだろう。このため、付随の特許請求の範囲は、本発明の真の範囲および主旨を決定するものとみなされるべきである。
【図面の簡単な説明】
【図１】
巻上機が取り付け状態を示す図。
【図２】
巻上機用梁に取り付けられた巻上機およびフレームを示す図。
【図３】
図２の構造の一方の側部を詳細に示す図。
【図４】
図１の線４−４に沿った断面図。
【図５】
巻上機用梁への吊り上げツールおよび巻上機アッセンブリの取り付け状態を示す図。
【国際公開パンフレット】
2004509032.tif 000003
2004509032.tif 000004
2004509032.tif 000005
2004509032.tif 000006
2004509032.tif 000007
2004509032.tif 000008
2004509032.tif 000009
2004509032.tif 000010
2004509032.tif 000011
2004509032.tif 000012
2004509032.tif 000013
2004509032.tif 000014
2004509032.tif 000015
【手続補正書】
【提出日】平成14年9月25日(2002.9.25)
【手続補正１】
【補正対象書類名】明細書
【補正対象項目名】特許請求の範囲
【補正方法】変更
【補正の内容】
【特許請求の範囲】
【請求項１】
エレベータアッセンブリであって、前記エレベータアッセンブリは、
昇降路を横切るように延びた巻上機用梁と、
エレベータかごを引き上げるための引き上げ用モータ、および前記引き上げ用モータを取り付けるためのフレームを備えた巻上機アッセンブリと、を備えており、前記巻上機アッセンブリは、前記巻上機用梁により支持されており、前記エレベータアッセンブリは、さらに、
組み立て工程中に前記巻上機アッセンブリを吊り下げるためのケーブルと、
前記巻上機アッセンブリを昇降路内で前記巻上機用梁上の支持位置まで引き上げるために前記ケーブルを駆動するためのモータを備えた吊り上げツールと、を備えており、前記吊り上げツールは、前記巻上機用梁に固定されていることを特徴とするエレベータアッセンブリ。
【請求項２】
前記巻上機アッセンブリおよび前記吊り上げツールは、前記巻上機用梁から吊り下げられるように取り付けられていることを特徴とする請求項１記載のエレベータアッセンブリ。
【請求項３】
前記吊り上げツールによって、滑車の周りを通る前記ケーブルが駆動され、これによって、前記巻上機アッセンブリが引き上げられるようになっており、前記滑車のうちの少なくとも１つが前記巻上機用梁に取り付けられていることを特徴とする請求項２記載のエレベータアッセンブリ。
【請求項４】
前記巻上機アッセンブリを引き上げるための前記ケーブルは、引き上げ点において前記巻上機用梁に固定されており、さらに、前記巻上機用梁上の前記滑車の周りを通り、続いて、前記巻上機アッセンブリ上に互いに離間して配置された一対の滑車の周りを通り、続いて、前記引き上げ点に固定されていることを特徴とする請求項３記載のエレベータアッセンブリ。
【請求項５】
前記の互いに離間された一対の滑車が、前記巻上機アッセンブリのフレームの各側部に取り付けられており、前記引き上げ用モータが前記フレームの前記側部の間を横方向に延びたプレートの上に取り付けられていることを特徴とする請求項４記載のエレベータアッセンブリ。
【請求項６】
前記吊り上げツールは、ブラケットに取り付けられており、前記ブラケットは、前記巻上機用梁に取り付けられていることを特徴とする請求項１記載のエレベータアッセンブリ。
【請求項７】
一対の巻上機用梁を備えており、前記巻上機アッセンブリが前記の一対の巻上機用梁の両方に固定されており、前記吊り上げツールもまた前記巻上機用梁の両方に固定されていることを特徴とする請求項１記載のエレベータアッセンブリ。
【請求項８】
エレベータアッセンブリであって、前記エレベータアッセンブリは、
昇降路を横切るように延びた巻上機用梁と、
エレベータかごを引き上げるための引き上げ用モータ、および前記引き上げ用モータを取り付けるためのフレームを備えた巻上機アッセンブリと、を備えており、前記巻上機アッセンブリは、前記巻上機用梁により支持されており、前記エレベータアッセンブリは、さらに、
組み立て工程中に前記巻上機アッセンブリを吊り下げるためのケーブルと、
前記巻上機アッセンブリを昇降路内で前記巻上機用梁上の支持位置まで引き上げるために前記ケーブルを駆動するためのモータを備えた吊り上げツールと、を備えており、前記巻上機アッセンブリは、前記巻上機用梁から前記昇降路へとある軸方向距離に亘って吊り下がるように取り付けられており、前記吊り上げツールは、前記巻上機アッセンブリの側部に取り付けられているとともに、前記巻上機アッセンブリの前記軸方向距離の範囲内で少なくとも部分的に、前記昇降路へと吊り下げられていることを特徴とするエレベータアッセンブリ。
【請求項９】
前記巻上機アッセンブリおよび前記吊り上げツールが両方とも前記巻上機用梁に固定されており、前記吊り上げツールによって、前記巻上機用梁に取り付けられた滑車の周りを通るケーブルが駆動されるようになっており、前記ケーブルは、引き上げ点において前記巻上機用梁に固定されているとともに、前記巻上機用梁上の前記滑車と前記引き上げ点との間で前記巻上機アッセンブリ上に互いに離間して配置された一対の滑車の周りを通っていることを特徴とする請求項８記載のエレベータアッセンブリ。
【請求項１０】
巻上機アッセンブリを昇降路内でエレベータアッセンブリ内の取り付け位置まで引き上げる方法であって、前記方法においては、
（１）　昇降路の上端部に隣接させて取り付けられた吊り上げツールを提供し、エレベータかごを駆動するための引き上げ用モータを備えた巻上機アッセンブリを提供し、前記吊り上げツールは、前記巻上機アッセンブリを引き上げるものとして動作可能に連結されており、さらに、前記方法において、
（２）　前記吊り上げツールを、前記巻上機用梁から吊り下がるように前記巻上機用梁に取り付け、
（３）　前記吊り上げツールによって、前記巻上機アッセンブリを前記昇降路内で上方位置まで引き上げ、続いて、前記巻上機アッセンブリを前記巻上機用梁に取り付けて、前記巻上機アッセンブリもまた前記巻上機用梁からつり下がるように取り付けることを特徴とする方法。
【国際調査報告】
2004509032.tif 000016
2004509032.tif 000017